(57)【要約】【課題】プロトコルの設定を容易にユーザに行わせることができる磁気共鳴イメージング（ＭＲＩ：Magnetic  Resonance  Imaging）装置を提供すること。【解決手段】実施形態の磁気共鳴イメージング装置は、取得部と、設定部と、表示部とを備える。取得部は、ＲＦ(radio  frequency)コイルの情報を取得する。設定部は、前記ＲＦコイルを用いた撮像の実行前に、前記撮像に適用するプロトコルを設定する。表示部は、前記撮像に適用するプロトコルとして選択可能な複数のプロトコルがある場合に、前記ＲＦコイルの情報に基づいて、前記複数のプロトコルから前記撮像に適用可能なプロトコルとして絞り込まれた少なくとも１つのプロトコルを表示する。【選択図】図１
2017213371.tif 000002
【特許請求の範囲】
【請求項１】
ＲＦ(radio  frequency)コイルの情報を取得する取得部と、
前記ＲＦコイルを用いた撮像の実行前に、前記撮像に適用するプロトコルを設定する設定部と、
前記撮像に適用するプロトコルとして選択可能な複数のプロトコルがある場合に、前記ＲＦコイルの情報に基づいて、前記複数のプロトコルから前記撮像に適用可能なプロトコルとして絞り込まれた少なくとも１つのプロトコルを表示する表示部と、
を備える、磁気共鳴イメージング装置。
【請求項２】
前記表示部は、前記ＲＦコイルを撮像用途に応じて分類したコイル分類情報に基づいて前記複数のプロトコルから絞り込まれた前記少なくとも１つのプロトコルを表示する、
請求項１に記載の磁気共鳴イメージング装置。
【請求項３】
前記コイル分類情報は、前記ＲＦコイルを用いて撮像可能な部位に基づいて定められた優先度の情報を含み、
前記表示部は、複数の前記ＲＦコイルが装置本体に接続されていた場合に、前記コイル分類情報に含まれる前記優先度の情報に基づいて絞り込まれた前記少なくとも１つのプロトコルを表示する、
請求項２に記載の磁気共鳴イメージング装置。
【請求項４】
前記取得部は、装置本体に接続された前記ＲＦコイルから前記ＲＦコイルの情報を取得する、
請求項１〜３のいずれか１つに記載の磁気共鳴イメージング装置。
【請求項５】
前記取得部は、プロトコル群を実行する単位である検査を複数行う場合であって、第１の検査の後に第２の検査を行う場合に、当該第２の検査に際して、前記第２の検査において新たに追加されるＲＦコイルの情報を取得し、
前記表示部は、前記第２の検査において新たに追加されるＲＦコイルの情報に基づいて絞り込まれた前記少なくとも１つのプロトコルを表示する、
請求項１〜４のいずれか１つに記載の磁気共鳴イメージング装置。
【請求項６】
前記表示部は、前記ＲＦコイルの情報に基づいて絞り込まれた複数のプロトコルを、前記複数のプロトコルの使用履歴に基づく表示順序に応じて表示する、
請求項１〜５のいずれか１つに記載の磁気共鳴イメージング装置。
【請求項７】
前記表示部は、前記複数のプロトコルのうち、最も撮像頻度の高い撮像部位を撮像する際に実行されるプロトコルを表示する、
請求項１〜５のいずれか１つに記載の磁気共鳴イメージング装置。
【請求項８】
前記表示部は、前記複数のプロトコルのうち、最後に検査した撮像部位を撮像する際に実行されるプロトコルを表示する、
請求項１〜５のいずれか１つに記載の磁気共鳴イメージング装置。
【発明の詳細な説明】
【技術分野】
【０００１】
本発明の実施形態は、磁気共鳴イメージング装置に関する。
【背景技術】
【０００２】
静磁場中に置かれた被検体の原子核スピンをラーモア周波数（Larmor  frequency）のＲＦ（Radio  Frequency）パルスで磁気的に励起し、この励起に伴って発生するＭＲ（Magnetic  Resonance）信号から画像を再構成する磁気共鳴イメージング（ＭＲＩ：Magnetic  Resonance  Imaging）装置がある。
【先行技術文献】
【特許文献】
【０００３】
【特許文献１】特開２０１４−２３０６１０号公報
【特許文献２】特開２０１０−２９６４４号公報
【特許文献３】特開２００４−４９６６９号公報
【特許文献４】特開２０１０−８８８７０号公報
【特許文献５】特開２０１５−４３９２０号公報
【発明の概要】
【発明が解決しようとする課題】
【０００４】
本発明が解決しようとする課題は、プロトコルの設定を容易にユーザに行わせることができる磁気共鳴イメージング装置を提供することである。
【課題を解決するための手段】
【０００５】
実施形態の磁気共鳴イメージング装置は、取得部と、設定部と、表示部とを備える。取得部は、ＲＦ(radio  frequency)コイルの情報を取得する。設定部は、前記ＲＦコイルを用いた撮像の実行前に、前記撮像に適用するプロトコルを設定する。表示部は、前記撮像に適用するプロトコルとして選択可能な複数のプロトコルがある場合に、前記ＲＦコイルの情報に基づいて、前記複数のプロトコルから前記撮像に適用可能なプロトコルとして絞り込まれた少なくとも１つのプロトコルを表示する。
【図面の簡単な説明】
【０００６】
【図１】図１は、第１の実施形態に係るＭＲＩ装置の構成を示す機能ブロック図である。
【図２】図２は、コイル分類情報のデータ構造の一例を示す図である。
【図３】図３は、ユーザにプロトコル及び撮像条件を選択させるための画面の一例を示す図である。
【図４】図４は、第１の実施形態に係るＭＲＩ装置が実行する絞込表示処理の流れを示すフローチャートである。
【図５】図５は、絞り込まれたプロトコルの候補及び撮像条件の候補を示す画像の一例を示す図である。
【図６Ａ】図６Ａは、第１の実施形態の第１の変形例に係るＭＲＩ装置を説明するための図である。
【図６Ｂ】図６Ｂは、第１の実施形態の第１の変形例に係るＭＲＩ装置を説明するための図である。
【図７】図７は、第１の実施形態の第１の変形例に係るコイル分類情報のデータ構造の一例を示す図である。
【図８Ａ】図８Ａは、第１の実施形態の第２の変形例の一例を説明するための図である。
【図８Ｂ】図８Ｂは、第１の実施形態の第２の変形例の一例を説明するための図である。
【図８Ｃ】図８Ｃは、第１の実施形態の第２の変形例に係るコイル分類情報のデータ構造の一例を示す図である。
【図９】図９は、第１の実施形態の第３の変形例に係るＭＲＩ装置が実行する処理を説明するための図である。
【図１０Ａ】図１０Ａは、第１の実施形態の第４の変形例を説明するための図である。
【図１０Ｂ】図１０Ｂは、第１の実施形態の第４の変形例を説明するための図である。
【図１１Ａ】図１１Ａは、第１の実施形態の第５の変形例に係るＭＲＩ装置が実行する処理の一例について説明するための図である。
【図１１Ｂ】図１１Ｂは、第１の実施形態の第５の変形例に係るＭＲＩ装置が実行する処理の一例について説明するための図である。
【図１２】図１２は、第６の変形例に係るＭＲＩ装置が実行する処理の一例について説明するための図である。
【発明を実施するための形態】
【０００７】
以下、図面を参照しながら、各実施形態に係る磁気共鳴イメージング装置（以下、適宜「ＭＲＩ装置」）を説明する。なお、実施形態は、以下の実施形態に限られるものではない。また、各実施形態及び各変形例は、適宜組み合わせることができる。
【０００８】
（第１の実施形態）
図１は、第１の実施形態に係るＭＲＩ装置１００の構成を示す機能ブロック図である。図１に示すように、ＭＲＩ装置１００は、静磁場磁石１と、傾斜磁場コイル２と、傾斜磁場電源３と、送信コイル（ＲＦ（Radio  Frequency）送信コイル）４と、送信回路５と、受信コイル（ＲＦ受信コイル）６と、受信回路７と、寝台８と、入力回路９と、ディスプレイ１０と、記憶回路１１と、処理回路１２〜１５とを備える。なお、ＭＲＩ装置１００に、図１に示す被検体Ｓ（例えば、人体）は含まれない。また、図１に示す構成は一例に過ぎない。
【０００９】
静磁場磁石１は、中空の略円筒形状（円筒の中心軸に直交する断面が楕円状となるものを含む）に形成され、内周側に形成される撮像空間に一様な静磁場を発生させる。例えば、静磁場磁石１は、永久磁石や超伝導磁石等によって実現される。
【００１０】
傾斜磁場コイル２は、中空の略円筒形状（円筒の中心軸に直交する断面が楕円状となるものを含む）に形成され、静磁場磁石１の内周側に配置される。傾斜磁場コイル２は、互いに直交するｘ軸、ｙ軸及びｚ軸それぞれに沿った傾斜磁場を発生させる３つのコイルを有する。ここで、ｘ軸、ｙ軸及びｚ軸は、ＭＲＩ装置１００に固有の装置座標系を構成する。例えば、ｘ軸の方向は、鉛直方向に設定され、ｙ軸の方向は、水平方向に設定される。また、ｚ軸の方向は、静磁場磁石１によって発生する静磁場の磁束の方向と同じに設定される。
【００１１】
傾斜磁場電源３は、傾斜磁場コイル２が有する３つのコイルそれぞれに個別に電流を供給することで、ｘ軸、ｙ軸及びｚ軸に対応する傾斜磁場を撮像空間に発生させる。各軸は、例えば、リードアウト方向、位相エンコード方向、及びスライス方向に対応する。ここで、リードアウト方向、位相エンコード方向、及びスライス方向に対応する軸は、撮像の対象となるスライス領域又はボリューム領域を規定するための論理座標系を構成する。なお、以下では、リードアウト方向に沿った傾斜磁場をリードアウト傾斜磁場と呼び、位相エンコード方向に沿った傾斜磁場を位相エンコード傾斜磁場と呼び、スライス方向に沿った傾斜磁場をスライス傾斜磁場と呼ぶ。
【００１２】
各傾斜磁場は、静磁場磁石１によって発生する静磁場に重畳され、磁気共鳴（Magnetic  Resonance：ＭＲ）信号に空間的な位置情報を付与するために用いられる。具体的には、リードアウト傾斜磁場は、リードアウト方向の位置に応じてＭＲ信号の周波数を変化させることで、ＭＲ信号にリードアウト方向に沿った位置情報を付与する。また、位相エンコード傾斜磁場は、位相エンコード方向に沿ってＭＲ信号の位相を変化させることで、ＭＲ信号に位相エンコード方向の位置情報を付与する。また、スライス傾斜磁場は、撮像領域がスライス領域の場合には、スライス領域の方向、厚さ、枚数を決めるために用いられ、撮像領域がボリューム領域である場合には、スライス方向の位置に応じてＭＲ信号の位相を変化させることで、ＭＲ信号にスライス方向に沿った位置情報を付与する。
【００１３】
送信コイル４は、中空の略円筒形状（円筒の中心軸に直交する断面が楕円状となるものを含む）に形成され、傾斜磁場コイル２の内側に配置される。送信コイル４は、送信回路５から出力されるＲＦパルスを撮像空間に印加する。
【００１４】
送信回路５は、ラーモア周波数に対応するＲＦパルスを送信コイル４に出力する。例えば、送信回路５は、発振回路、位相選択回路、周波数変換回路、振幅変調回路、及び、ＲＦ増幅回路を有する。発振回路は、静磁場中に置かれた対象原子核に固有の共鳴周波数のＲＦパルスを発生する。位相選択回路は、発振回路から出力されるＲＦパルスの位相を選択する。周波数変換回路は、位相選択回路から出力されるＲＦパルスの周波数を変換する。振幅変調回路は、周波数変換回路から出力されるＲＦパルスの振幅を例えばｓｉｎｃ関数に従って変調する。ＲＦ増幅回路は、振幅変調回路から出力されるＲＦパルスを増幅して送信コイル４に出力する。
【００１５】
受信コイル６は、被検体Ｓの近傍に設置され、ＲＦパルスの影響によって被検体Ｓから発せられるＭＲ信号を受信する。受信コイル６は、後述する天板８ａに埋め込まれたコネクタ（コネクタポート、ポート）６ａに接続可能となっている。コネクタ６ａは、受信回路７に接続されている。すなわち、受信コイル６及び受信回路７の接続形態は、コネクタ６ａを介した有線による接続（有線接続）である。コネクタ６ａに接続された受信コイル６は、ＭＲ信号を受信すると、受信したＭＲ信号をコネクタ６ａを介して受信回路７へ出力する。また、コネクタ６ａは、接続された受信コイル６を一意に識別するためのＩＤ（Identification）を、受信コイル６の接続部分から読み取って、読み取ったＩＤを受信回路７へ出力する。なお、受信コイル６は、ＲＦコイルの一例である。
【００１６】
受信回路７は、受信コイル６から出力されるＭＲ信号に基づいてＭＲ信号データを生成し、生成したＭＲ信号データを処理回路１３に出力する。例えば、受信回路７は、選択回路、前段増幅回路、位相検波回路、及び、アナログデジタル変換回路を有する。選択回路は、受信コイル６から出力されるＭＲ信号を選択的に入力する。前段増幅回路は、選択回路から出力されるＭＲ信号を増幅する。位相検波回路は、前段増幅回路から出力されるＭＲ信号の位相を検波する。アナログデジタル変換回路は、位相検波回路から出力されるアナログ信号をデジタル信号に変換することでＭＲ信号データを生成し、生成したＭＲ信号データを処理回路１３に出力する。また、受信回路７は、受信コイル６からＩＤを受信すると、受信したＩＤを処理回路１３に出力する。
【００１７】
なお、ここでは、送信コイル４がＲＦパルスを印加し、受信コイル６がＭＲ信号を受信する場合の例を説明するが、送信コイル及び受信コイルの形態はこれに限られない。例えば、送信コイル４が、ＭＲ信号を受信する受信機能をさらに有してもよい。すなわち、送信コイル４が、送受信兼用コイルでもよい。また、受信コイル６が、ＲＦパルスを印加する送信機能をさらに有していてもよい。すなわち、受信コイル６が、送受信兼用コイルでもよい。送信コイル４が受信機能を有している場合は、受信回路７は、送信コイル４によって受信されたＭＲ信号からもＭＲ信号データを生成する。また、受信コイル６が送信機能を有している場合は、送信回路５は、受信コイル６にもＲＦパルスを出力する。
【００１８】
また、受信コイル６及び受信回路７の接続形態が、有線接続である場合について説明したが、無線接続であってもよい。ここで、受信コイル６及び受信回路７の接続形態が無線接続の場合の一例について説明する。
【００１９】
例えば、受信コイル６が無線送信器を有し、受信回路７が無線受信機を有する。受信コイル６の無線送信器は、例えば、上述した受信回路７の選択回路、前段増幅回路、位相検波回路及びアナログデジタル変換回路と同様の回路を有し、上述した受信回路７と同様の方法でＭＲ信号をデジタル化してＭＲ信号データを生成する。そして、無線送信器は、生成したＭＲ信号データを無線通信により受信回路７に送信する。また、無線送信器は、ＩＤも、無線通信により受信回路７に送信する。なお、受信コイル６の無線送信器と、受信回路７の無線受信機との無線通信の規格として、例えば、Ｂｌｕｅｔｏｏｔｈ（登録商標）が挙げられるが、これに限定されない。受信コイル６の無線送信器と、受信回路７の無線受信機との無線通信の規格として、他の無線通信の規格が採用されてもよい。
【００２０】
受信回路７の無線受信機が、受信コイル６の無線送信器からＭＲ信号データ及びＩＤを受信すると、受信回路７は、受信したＭＲ信号データ及びＩＤを処理回路１３に出力する。
【００２１】
ここで、ＭＲＩ装置１００を構成する複数の要素のうち、受信コイル６以外の複数の要素により構成される部分を「装置本体」と称する。受信コイル６及び受信回路７の接続形態が有線接続である場合及び無線接続である場合の両方の場合において、受信コイル６は、装置本体に接続することが可能である。
【００２２】
寝台８は、被検体Ｓが載置される天板８ａを備え、被検体Ｓの撮像が行われる際に、静磁場磁石１及び傾斜磁場コイル２の内側に形成される撮像空間へ天板８ａを挿入する。例えば、寝台８は、長手方向が静磁場磁石１の中心軸と平行になるように設置される。
【００２３】
入力回路９は、操作者から各種指示及び各種情報の入力操作を受け付ける。例えば、入力回路９は、トラックボール、スイッチボタン、マウス、キーボード、タッチパネル等によって実現される。入力回路９は、処理回路１５に接続されており、操作者から受け付けた入力操作を電気信号に変換して処理回路１５へ出力する。
【００２４】
ディスプレイ１０は、各種情報及び各種画像を表示する。例えば、ディスプレイ１０は、液晶モニタやＣＲＴ（Cathode  Ray  Tube）モニタ、タッチパネル等によって実現される。ディスプレイ１０は、処理回路１５に接続されており、処理回路１５から送られる各種情報及び各種画像のデータを表示用の電気信号に変換して出力する。また、本実施形態に係るディスプレイ１０は、プロトコルの候補及び撮像条件の候補を表示することにより、プロトコルの候補及び撮像条件の候補をユーザに提示する。ディスプレイ１０は、例えば、操作室に配置される。ディスプレイ１０は、表示部の一例である。
【００２５】
記憶回路１１は、各種データを記憶する。例えば、記憶回路１１は、ＭＲ信号データや画像データを被検体Ｓごとに記憶する。例えば、記憶回路１１は、ＲＡＭ（Random  Access  Memory）、フラッシュメモリ等の半導体メモリ素子やハードディスク、光ディスク等によって実現される。また、本実施形態に係る記憶回路１１は、コイル分類情報１１ａを記憶する。
【００２６】
処理回路１２は、寝台制御機能１２ａを有する。処理回路１２は、寝台８に接続されている。例えば、処理回路１２は、プロセッサによって実現される。寝台制御機能１２ａは、制御用の電気信号を寝台８へ出力することで、寝台８の動作を制御する。例えば、寝台制御機能１２ａは、入力回路９を介して、天板８ａを長手方向、上下方向又は左右方向へ移動させる指示を操作者から受け付け、受け付けた指示に従って天板８ａを移動するように、寝台８が有する天板８ａの駆動機構を動作させる。
【００２７】
処理回路１３は、実行機能１３ａを有する。例えば、処理回路１３は、プロセッサによって実現される。実行機能１３ａは、各種のプロトコルを実行する。具体的には、実行機能１３ａは、処理回路１５から出力されるシーケンス実行データに基づいて傾斜磁場電源３、送信回路５及び受信回路７を駆動することで、各種プロトコルを実行する。
【００２８】
ここで、シーケンス実行データは、ＭＲ信号データを収集するための手順を示すプロトコルを定義した情報である。具体的には、シーケンス実行データは、傾斜磁場電源３が傾斜磁場コイル２に電流を供給するタイミング及び供給される電流の強さ、送信回路５が送信コイル４に供給するＲＦパルス電流の強さや供給タイミング、受信回路７がＭＲ信号を検出する検出タイミング等を定義した情報である。
【００２９】
また、実行機能１３ａは、各種パルスシーケンスを実行した結果として、受信回路７からＭＲ信号データを受信し、受信したＭＲ信号データを記憶回路１１に格納する。なお、実行機能１３ａによって受信されたＭＲ信号データの集合は、前述したリードアウト傾斜磁場、位相エンコード傾斜磁場、及びスライス傾斜磁場によって付与された位置情報に応じて２次元又は３次元に配列されることで、ｋ空間を構成するデータとして記憶回路１１に格納される。
【００３０】
また、処理回路１３は、受信回路７から出力されたＩＤを受信すると、受信したＩＤを記憶回路１１に格納する。この際、処理回路１３は、検査ごとにＩＤを記憶回路１１に格納する。なお、検査とは、プロトコル群を実行する単位である。プロトコル群に含まれるプロトコルは、撮影を実行する単位である。
【００３１】
処理回路１４は、画像生成機能１４ａを有する。例えば、処理回路１４は、プロセッサによって実現される。画像生成機能１４ａは、記憶回路１１に格納されたＭＲ信号データに基づいて画像を生成する。具体的には、画像生成機能１４ａは、実行機能１３ａによって記憶回路１１に格納されたＭＲ信号データを読み出し、読み出したＭＲ信号データに後処理すなわちフーリエ変換等の再構成処理を施すことで画像を生成する。また、画像生成機能１４ａは、生成した画像の画像データを記憶回路１１に格納する。
【００３２】
処理回路１５は、制御機能１５ａと、取得機能１５ｂと、提示制御機能１５ｃとを有する。例えば、処理回路１５は、プロセッサによって実現される。
【００３３】
制御機能１５ａは、ＭＲＩ装置１００が有する各構成要素を制御することで、ＭＲＩ装置１００の全体制御を行う。例えば、制御機能１５ａは、入力回路９を介して操作者からパルスシーケンスに関する各種のパラメータの入力を受け付け、受け付けたパラメータに基づいてシーケンス実行データを生成する。そして、制御機能１５ａは、生成したシーケンス実行データを処理回路１３に送信することで、各種のパルスシーケンスを実行する。また、例えば、制御機能１５ａは、操作者から要求された画像の画像データを記憶回路１１から読み出し、読み出した画像データをディスプレイ１０に出力する。
【００３４】
取得機能１５ｂは、コイル分類情報１１ａを取得する。提示制御機能１５ｃは、コイル分類情報１１ａに基づいて撮像条件の候補が提示されるようにディスプレイ１０を制御する。取得機能１５ｂは、取得部の一例である。取得機能１５ｂ及び提示制御機能１５ｃについては後述する。
【００３５】
上記説明において用いた「プロセッサ」という文言は、例えば、ＣＰＵ（Central  Processing  Unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。なお、記憶回路１１にプログラムを保存する代わりに、プロセッサの回路内にプログラムを直接組み込むように構成しても構わない。この場合、プロセッサは回路内に組み込まれたプログラムを読み出し実行することで機能を実現する。
【００３６】
以上、第１の実施形態に係るＭＲＩ装置１００の全体構成について説明した。
【００３７】
ここで、ＭＲＩ装置は、被検体の検査において撮像を行う前に、ユーザにプロトコル及びプロトコルを実行する際のＴＥ（Echo  Time）やＴＲ（Repetition  Time）等の撮像条件を選択させるための画面や、被検体Ｓの方向（向き）や体位を選択させるための画面をディスプレイに表示し、ユーザにプロトコル及び撮像条件を選択させたり、被検体Ｓの方向や体位を選択させたりする。そして、ＭＲＩ装置は、選択されたプロトコル及び撮像条件を、撮像の際に実行されるプロトコル及びプロトコルの撮像条件として設定したり、選択された被検体Ｓの方向や体位を、撮像における被検体Ｓの方向や体位として設定したりする。すなわち、ＭＲＩ装置は、撮像を行う前に、プロトコル及び撮像条件、並びに、被検体Ｓの方向や体位等をユーザに設定させる。
【００３８】
ここで、ＭＲＩ装置は、ユーザにプロトコル及び撮像条件を選択させるための画面を表示させる際に、コネクタに接続された受信コイルを特定する。そして、ＭＲＩ装置は、特定した受信コイルが用いられた撮像を行うためのプロトコル及びプロトコルの撮像条件を、撮像に用いられるプロトコルの候補及び撮像条件の候補としてディスプレイに表示させることが考えられる。しかしながら、複数の種類の受信コイルがコネクタに接続されている場合には、ＭＲＩ装置は、受信コイルの種類ごとに撮像を行うためのプロトコルが異なるため、多数のプロトコルの候補及び多数の撮像条件の候補をディスプレイに表示させてしまうことになる。また、例えば、コネクタに接続された受信コイルが１種類であるが、この受信コイルを用いて撮像可能な撮像部位の種類が多数である場合においても、撮像部位ごとにプロトコルが異なるため、多数のプロトコルの候補及び多数の撮像条件の候補がディスプレイに表示されてしまうことになる。このような多数のプロトコルの候補及び多数の撮像条件の候補がディスプレイに表示された場合には、ユーザは、多数のプロトコルの候補の中から、撮像に用いるプロトコルを選択するとともに、多数の撮像条件の候補の中から、プロトコルを実行する際の撮像条件を選択するため、撮像に用いるプロトコル及び撮像条件を容易に選択することができない。そのため、この場合には、プロトコル及び撮像条件の設定を容易にユーザに行わせることができない。
【００３９】
そこで、本実施形態に係るＭＲＩ装置１００は、以下に説明するように、プロトコル及び撮像条件の設定を容易にユーザに行わせることができるように構成されている。
【００４０】
図２は、コイル分類情報１１ａのデータ構造の一例を示す図である。コイル分類情報１１ａは、受信コイル６の撮像可能部位に基づいて受信コイル６の種類が分類された情報である。すなわち、コイル分類情報１１ａは、受信コイル６を撮像用途に応じて分類した情報である。このように、コイル分類情報１１ａは、受信コイル６の情報である。なお、撮像可能部位とは、被検体Ｓの身体の中で撮像対象となりうる部位を指す。図２の例に示すように、コイル分類情報１１ａには、「コイルＩＤ（Identification）」、「コイル群」、「部位１」、「部位２」及び「部位３」の各項目を含むレコードが複数登録されている。
【００４１】
「コイルＩＤ」の項目には、受信コイル６を一意に識別するためのＩＤが登録されている。コイル分類情報１１ａの１番目のレコードの「コイルＩＤ」の項目に登録されているＩＤ「ＡＡ」は、例えば、主に膝を撮像する際に用いられる膝専用の受信コイル（膝専用コイル）を示す。また、２番目のレコードの「コイルＩＤ」の項目に登録されているＩＤ「ＢＡ」、及び、３番目のレコードの「コイルＩＤ」の項目に登録されているＩＤ「ＢＢ」は、例えば、撮像の際に汎用的に用いられる汎用型の受信コイル（汎用型コイル）を示す。汎用型コイルは、比較的多くの部位の撮像に用いられる。また、４番目のレコードの「コイルＩＤ」の項目に登録されているＩＤ「ＣＣ」は、寝台８の天板８ａに常に設置されるような運用形態で用いられる寝台設置型の受信コイル（寝台設置型コイル）を示す。例えば、寝台設置型コイルの一例としては、天板８ａに埋め込まれており、頸椎、胸椎及び腰椎などの脊椎を撮像する際に用いられる脊椎コイルが挙げられる。
【００４２】
「コイル群」の項目には、「コイルＩＤ」の項目に登録されたＩＤが示す受信コイル６の種類に応じて、この受信コイル６が、特定の部位を主に撮像する際に用いられる部位専用の受信コイル（部位専用コイル）であるのか、汎用型コイルであるのか、又は、寝台設置型コイルであるのかを識別するための情報が登録されている。
【００４３】
「コイルＩＤ」の項目に登録されたＩＤが示す受信コイル６が、膝専用の受信コイルや主に頭部を撮像する際に用いられる頭部専用の受信コイル（頭部専用コイル）等の部位専用コイルである場合には、「コイル群」の項目には、部位専用コイルであることを示す「Ａ」が登録される。例えば、１番目のレコードの「コイル群」の項目には、「Ａ」が登録されている。
【００４４】
また、「コイルＩＤ」の項目に登録されたＩＤが示す受信コイル６が、汎用型コイルである場合には、「コイル群」の項目には、汎用型コイルであることを示す「Ｂ」が登録される。例えば、２番目のレコード及び３番目のレコードの「コイル群」の項目には、「Ｂ」が登録されている。
【００４５】
また、「コイルＩＤ」の項目に登録されたＩＤが示す受信コイル６が、寝台設置型コイルである場合には、「コイル群」の項目には、寝台設置型コイルであることを示す「Ｃ」が登録される。例えば、４番目のレコードの「コイル群」の項目には、「Ｃ」が登録されている。
【００４６】
ここで、部位専用コイル、汎用型コイル及び寝台設置型コイルについて、以下のことが考えられる。例えば、部位専用コイルがコネクタ６ａに接続されている場合には、部位専用コイルに対応する特定の部位を撮像する可能性が比較的高いと考えられる。
【００４７】
また、部位専用コイルがコネクタ６ａに接続されていない場合に、汎用型コイルがコネクタ６ａに接続されているときには、汎用型コイルを用いて、手、脚、膝、腹部又は骨盤等の部位を撮像する可能性が比較的高いと考えられる。
【００４８】
また、部位専用コイル、汎用型コイル及び寝台設置型コイルのうち、寝台設置型コイルのみがコネクタ６ａに接続されているときには、寝台設置型コイルしかコネクタ６ａに接続されていないため、寝台設置型コイルを用いて撮像する可能性が比較的高いと考えられる。
【００４９】
以上のことから、「コイル群」の項目には、「コイルＩＤ」の項目に登録されたＩＤが示す受信コイル６が、撮像において使用される可能性の度合いから分類された３つのグループ（「Ａ」、「Ｂ」及び「Ｃ」）のうち、いずれのグループに属するのかを示す情報が登録されているとも言える。後述するが、「Ａ」、「Ｂ」及び「Ｃ」のうち、「Ａ」が最も優先順位（優先度）が高く、「Ｂ」が「Ａ」の次に優先順位が高く、「Ｃ」が最も優先順位が低いものとして扱われる。すなわち、コイル分類情報１１ａは、受信コイル６を用いて撮像可能な部位に基づいて定められた優先度の情報を含んでいる。
【００５０】
「部位１」の項目には、「コイルＩＤ」の項目に登録されたＩＤが示す受信コイル６が用いられた撮像において撮像可能な複数の部位のうち、この受信コイル６が用いられて主に撮像される部位が登録されている。例えば、図２の例に示すように、１番目のレコードの「部位１」の項目には、膝専用コイルが用いられて主に撮像される部位「膝」が登録されている。
【００５１】
また、２番目のレコードの「部位１」の項目には、ＩＤ「ＢＡ」が示す汎用型コイルが用いられて主に撮像される部位「手」、「足」、「膝」、「腹部」及び「骨盤」が登録されている。
【００５２】
また、３番目のレコードの「部位１」の項目には、ＩＤ「ＢＢ」が示す汎用型コイルが用いられて主に撮像される部位「膝」、「腹部」及び「骨盤」が登録されている。
【００５３】
また、４番目のレコードの「部位１」の項目には、ＩＤ「ＣＣ」が示す寝台設置型コイルが用いられて主に撮像される部位「頸椎」、「胸椎」及び「腰椎」が登録されている。
【００５４】
「部位２」の項目には、同一のレコードの「コイル群」の項目に「Ａ」が登録されている場合に、「コイルＩＤ」の項目に登録されたＩＤが示す受信コイル６が用いられた撮像において撮像可能な部位のうち、「部位１」の項目に登録された部位以外の部位であって、比較的多く撮像されている部位が登録されている。例えば、１番目のレコードの「部位２」の項目には、膝専用コイルが用いられた撮像において撮像可能な部位のうち、「膝」以外の部位であって、比較的多く撮像されている部位「手」及び「足」が登録されている。
【００５５】
また、「部位２」の項目には、同一のレコードの「コイル群」の項目に「Ｂ」又は「Ｃ」が登録されている場合には、「コイルＩＤ」の項目に登録されたＩＤが示す受信コイル６が用いられた撮像において撮像可能な部位のうち、「部位１」の項目に登録された部位以外の部位が登録されている。例えば、２番目のレコードの「部位２」の項目には、ＩＤ「ＢＡ」が示す汎用型コイルが用いられた撮像において撮像可能な部位のうち、主に撮像される部位「手」、「足」、「膝」、「腹部」及び「骨盤」以外の部位が登録されている。なお、図２の例では、２番目のレコードの「部位２」の項目に登録された部位を「その他」と表記している。以下、同様である。
【００５６】
以上のことから、「部位１」の項目に登録された部位と、「部位２」の項目に登録された部位とを比較すると、「部位１」の項目に登録された部位のほうが撮像される可能性が高いと言える。
【００５７】
「部位３」の項目には、同一のレコードの「コイル群」の項目に「Ａ」が登録されている場合に、「コイルＩＤ」の項目に登録されたＩＤが示す受信コイル６が用いられた撮像において撮像可能な部位のうち、「部位１」及び「部位２」の２つの項目に登録された部位以外の部位が登録されている。
【００５８】
本実施形態に係るＭＲＩ装置１００は、被検体Ｓの検査において撮像を行う前に、ユーザにプロトコル及び撮像条件を選択させるための画面（ユーザからプロトコル及び撮像条件の設定を受け付ける画面）や、被検体Ｓの方向や体位を選択させるための画面（ユーザから被検体Ｓの方向や体位の設定を受け付ける画面）をディスプレイ１０に表示し、ユーザにプロトコル及び撮像条件を選択させたり、被検体Ｓの方向や体位を選択させたりする。そして、ＭＲＩ装置１００は、選択されたプロトコルを、撮像の際に実行されるプロトコルとして設定したり、選択された撮像条件をプロトコルを実行する際の撮像条件として設定したり、選択された被検体Ｓの方向や体位を、撮像における被検体Ｓの方向や体位として設定したりする。そして、ＭＲＩ装置１００は、被検体Ｓの方向や体位を設定した上で、設定した撮像条件で、設定したプロトコルを実行することにより撮像を行う。
【００５９】
ここで、本実施形態に係るＭＲＩ装置１００が実行する、ユーザにプロトコル及び撮像条件を選択させるための処理の一例について説明する。
【００６０】
まず、提示制御機能１５ｃは、ユーザにプロトコル及び撮像条件を選択させるための画面をディスプレイ１０に表示させる。図３は、ユーザにプロトコル及び撮像条件を選択させるための画面の一例を示す図である。例えば、提示制御機能１５ｃは、図３の例に示す画面４０をディスプレイ１０に表示させる。画面４０は、領域４１〜４４、及び、ボタン４５を含む。
【００６１】
領域４１には、撮像部位（以下、単に部位と称する）毎の選択を受け付ける人体模型図が表示される。領域４２には、領域４１において選択された部位に対して予め設定されている撮像用のプロトコルの一群（プロトコル群）の総称の一覧が表示される。領域４３には、領域４２において選択された総称に対して予め設定されているプロトコル群に含まれるプロトコルの名称の一覧が表示される。なお、領域４３には、プロトコルの名称に加えて、プロトコルを実行する際のＴＥやＴＲ等の各種の撮像条件も表示される。領域４４には、検査に対して設定されたプロトコルの名称が表示される。この表示画面４０上で、ユーザは、例えば、階層構造に従って、部位、プロトコル群、プロトコル及び撮像条件の順に選択することで、検査において実行する所望のプロトコル及びプロトコルの撮像条件を設定する。
【００６２】
例えば、ユーザが、入力回路９を操作して、領域４１上で「心臓」に対応する矩形を選択すると、提示制御機能１５ｃは、「心臓」の撮像用のプロトコル群の総称の一覧を領域４２に表示させる。続いて、ユーザが、入力回路９を操作して、領域４２上で、心臓の右室を検査する目的のプロトコル群の総称である「右室系検査」を選択すると、提示制御機能１５ｃは、「右室系検査」が示すプロトコル群に含まれるプロトコルの名称及び撮像条件の一覧を、領域４３に表示させる。図３の例では、提示制御機能１５ｃは、プロトコルの名称「ＤＤＤＡ」、「ＤＤＤＢ」及び「ＤＤＤＣ」とともに、各プロトコルの各種の撮像条件を領域４３に表示させる。
【００６３】
そして、ユーザが、入力回路９を操作して、領域４３に表示されたプロトコルの名称及び撮像条件の一覧の中から、検査に対して設定するプロトコルの名称、及び、プロトコルの撮像条件を１つ以上選択し、ボタン４５を押下する。なお、ここでは、領域４３に表示されたプロトコルの名称及び撮像条件が全て選択された上でボタン４５が押下された場合について説明する。ボタン４５が押下されると、提示制御機能１５ｃは、選択された全てのプロトコルの名称を領域４４に表示するとともに、選択された名称が示す全てのプロトコルを被検体Ｓの検査において実行するプロトコルとして設定するとともに、選択された撮像条件をプロトコルの撮像条件として設定する。すなわち、提示制御機能１５ｃは、受信コイル６を用いた撮像の実行前に、撮像に適用するプロトコル及び撮像条件を設定する。なお、プロトコル及び撮像条件を設定する提示制御機能１５ｃは、設定部の一例である。上述したような方法で、ＭＲＩ装置１００は、検査に対するプロトコル及び撮像条件の設定を受け付ける。なお、ユーザが、領域４２に表示されたプロトコル群の総称のうち、いずれかの総称が選択された状態でボタン４５を押下すると、提示制御機能１５ｃは、領域４３に表示された全てのプロトコルの名称を領域４４に表示するとともに、選択された名称が示す全てのプロトコル及び選択された撮像条件を被検体Ｓの検査において実行するプロトコル及びプロトコルの撮像条件として設定してもよい。
【００６４】
ここで、本実施形態に係るＭＲＩ装置１００は、ユーザにプロトコル及び撮像条件を選択させるための画面をディスプレイ１０に表示させた際に、選択可能な複数のプロトコル及びプロトコルの撮像条件の中から、ユーザにより選択される可能性が高いプロトコル及びプロトコルの撮像条件を絞り込んで表示させる絞込表示処理を実行する。これにより、ユーザは、絞り込まれたプロトコル及び撮像条件の中から、検査において実行するプロトコル及びプロトコルの撮像条件を選択することで、プロトコル及び撮像条件の設定を行うことができる。したがって、本実施形態に係るＭＲＩ装置１００によれば、プロトコル及び撮像条件の設定を容易にユーザに行わせることができる。
【００６５】
図４は、第１の実施形態に係るＭＲＩ装置が実行する絞込表示処理の流れを示すフローチャートである。
【００６６】
図４の例に示すように、ＭＲＩ装置１００の取得機能１５ｂは、コイル分類情報１１ａを記憶回路１１から取得する（ステップＳ１０１）。
【００６７】
そして、ＭＲＩ装置１００の取得機能１５ｂは、記憶回路１１に記憶されている今回の検査における全てのＩＤを取得することにより、今回の検査において用いられている全ての受信コイル６のＩＤを取得する（ステップＳ１０２）。ステップＳ１０１及びステップＳ１０２は、例えば、処理回路１５が取得機能１５ｂに対応する所定のプログラムを記憶回路１１から呼び出して実行することにより実現される。
【００６８】
そして、提示制御機能１５ｃは、前回の検査において用いられた全ての受信コイル６のＩＤと、今回の検査において用いられている全ての受信コイル６のＩＤとを比較して、今回の検査において新たに追加された受信コイル６があるか否かを判定する（ステップＳ１０３）。なお、上述したように、処理回路１３は、受信コイル６のＩＤを検査毎に記憶回路１１に格納している。そのため、ステップＳ１０３で、提示制御機能１５ｃは、記憶回路１１から、前回の検査において用いられた全ての受信コイル６のＩＤを取得し、取得した前回の検査において用いられた全ての受信コイル６のＩＤと、今回の検査において用いられている全ての受信コイル６のＩＤとを比較することができる。ステップＳ１０３では、例えば、提示制御機能１５ｃは、今回の検査において用いられている受信コイル６のＩＤの中に、前回の検査において用いられた受信コイル６のＩＤ以外のＩＤが含まれている場合には、今回の検査において新たに追加された受信コイル６のＩＤがあるため、今回の検査において新たに追加された受信コイル６があると判定する。一方、提示制御機能１５ｃは、今回の検査において用いられている全ての受信コイル６のＩＤが、前回の検査において用いられた全ての受信コイル６のＩＤに含まれている場合には、今回の検査において新たに追加された受信コイル６がないと判定する。
【００６９】
ここで、今回の検査において新たに追加された受信コイル６は、今回の検査のためにあえて追加した受信コイルであるため、今回の検査において撮像を行う際に用いられる可能性が非常に高いと考えられる。
【００７０】
なお、提示制御機能１５ｃが、今回の検査において新たに追加された受信コイル６があると判定した場合、新たに追加された受信コイル６の数は、１つの場合もあれば複数の場合もある。
【００７１】
新たに追加された受信コイル６がある場合（ステップＳ１０３：Ｙｅｓ）には、提示制御機能１５ｃは、ステップＳ１０４で以下に説明する処理を行う。まず、新たに追加された受信コイル６の数が１つの場合におけるステップＳ１０４の処理について説明する。この場合には、提示制御機能１５ｃは、コイル分類情報１１ａの全レコードの中から、今回の検査において新たに追加された受信コイル６のＩＤが「コイルＩＤ」の項目に登録されたレコードを特定する。そして、提示制御機能１５ｃは、特定したレコードの「コイル群」の項目に登録された情報が「Ａ」、「Ｂ」又は「Ｃ」のいずれであるのかを判定する。「Ａ」である場合には、提示制御機能１５ｃは、ステップＳ１０５へ進む。また、「Ｂ」である場合には、提示制御機能１５ｃは、ステップＳ１０６へ進む。また、「Ｃ」である場合には、提示制御機能１５ｃは、ステップＳ１０７へ進む。
【００７２】
すなわち、提示制御機能１５ｃは、新たに追加された受信コイル６が、部位専用コイルである場合にはステップＳ１０５へ進み、汎用型コイルである場合にはステップＳ１０６へ進み、寝台設置型コイルである場合にはステップＳ１０７へ進む。
【００７３】
次に、新たに追加された受信コイル６の数が複数の場合におけるステップＳ１０４の処理について説明する。この場合には、提示制御機能１５ｃは、今回の検査において新たに追加された複数の受信コイル６それぞれについて、次の処理を行う。すなわち、提示制御機能１５ｃは、コイル分類情報１１ａの全レコードの中から、受信コイル６のＩＤが「コイルＩＤ」の項目に登録されたレコードを特定する。そして、提示制御機能１５ｃは、特定した複数のレコードそれぞれについて、「コイル群」の項目に登録された情報が「Ａ」、「Ｂ」又は「Ｃ」のいずれであるのかを判定する。すなわち、提示制御機能１５ｃは、複数のレコードについて、「コイル群」の項目に登録された情報が「Ａ」、「Ｂ」又は「Ｃ」のいずれであるのかを判定する。
【００７４】
ここで、提示制御機能１５ｃは、「Ａ」、「Ｂ」及び「Ｃ」のうち、「Ａ」が最も優先順位（優先度）が高く、「Ｂ」が「Ａ」の次に優先順位が高く、「Ｃ」が最も優先順位が低いものとして扱う。そして、提示制御機能１５ｃは、複数のレコードについて判定した判定結果において、最も高い優先順位が「Ａ」である場合には、ステップＳ１０５へ進む。すなわち、提示制御機能１５ｃは、複数のレコードについて判定した「コイル群」の項目に登録された情報の中に、「Ａ」がある場合には、ステップＳ１０５へ進む。換言すると、提示制御機能１５ｃは、特定した複数のレコードの中に、少なくとも１つのレコードにおいて「コイル群」の項目に「Ａ」が登録されている場合には、ステップＳ１０５へ進む。
【００７５】
また、提示制御機能１５ｃは、複数のレコードについて判定した判定結果において、最も高い優先順位が「Ｂ」である場合には、ステップＳ１０６へ進む。すなわち、提示制御機能１５ｃは、複数のレコードについて判定した「コイル群」の項目に登録された情報の中に、「Ａ」がなく、「Ｂ」がある場合には、ステップＳ１０６へ進む。換言すると、提示制御機能１５ｃは、特定した複数のレコードの中に、「Ａ」が「コイル群」の項目に登録されたレコードがなく、かつ、少なくとも１つのレコードにおいて「コイル群」の項目に「Ｂ」が登録されている場合には、ステップＳ１０６へ進む。
【００７６】
また、提示制御機能１５ｃは、複数のレコードについて判定した判定結果において、最も高い優先順位が「Ｃ」である場合には、ステップＳ１０７へ進む。すなわち、提示制御機能１５ｃは、複数のレコードについて判定した「コイル群」の項目に登録された情報の中に、「Ａ」及び「Ｂ」がなく、「Ｃ」のみがある場合には、ステップＳ１０７へ進む。換言すると、提示制御機能１５ｃは、特定した複数のレコードの中に、「Ａ」及び「Ｂ」が「コイル群」の項目に登録されたレコードがなく、かつ、少なくとも１つのレコードにおいて「コイル群」の項目に「Ｃ」が登録されている場合には、ステップＳ１０７へ進む。
【００７７】
すなわち、提示制御機能１５ｃは、新たに追加された複数の受信コイル６の中に、部位専用コイルがある場合にはステップＳ１０５へ進む。また、提示制御機能１５ｃは、新たに追加された複数の受信コイル６の中に、部位専用コイルがなく、かつ、汎用型コイルがある場合にはステップＳ１０６へ進む。また、提示制御機能１５ｃは、新たに追加された複数の受信コイル６が、全て寝台設置型コイルである場合にはステップＳ１０７へ進む。
【００７８】
ステップＳ１０５では、提示制御機能１５ｃは、例えば、領域４１において、「Ａ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧をプロトコルの候補の名称の一覧として領域４３に表示させるとともに、各プロトコルの候補の撮像条件を、撮像条件の候補として領域４３に表示させる。
【００７９】
図５は、絞り込まれたプロトコルの候補及び撮像条件の候補を示す画像の一例を示す図である。例えば、図５の例に示すように、ステップＳ１０５では、提示制御機能１５ｃは、先の図２の例に示す、「Ａ」が「コイル群」の項目に登録された１番目のレコードの「部位１」に登録された部位「膝」を選択し、選択した部位「膝」に対して予め設定されているプロトコル群の総称「ＡＡＡ」、「ＢＢＢ」の一覧をプロトコル群の候補の総称の一覧として領域４２に表示させる。そして、提示制御機能１５ｃは、領域４２に表示されたプロトコル群の候補の総称「ＡＡＡ」、「ＢＢＢ」を全て選択する。そして、提示制御機能１５ｃは、選択した総称「ＡＡＡ」が示すプロトコル群の候補に含まれるプロトコルの名称「ＡＡＡＡ」、「ＡＡＡＢ」、「ＡＡＡＣ」を、プロトコルの候補の名称として領域４３に表示させる。また、提示制御機能１５ｃは、選択した総称「ＢＢＢ」が示すプロトコル群の候補に含まれるプロトコルの名称「ＢＢＢＡ」、「ＢＢＢＢ」、「ＢＢＢＣ」、「ＢＢＢＤ」、「ＢＢＢＥ」も、プロトコルの候補の名称として領域４３に表示させる。また、提示制御機能１５ｃは、各プロトコルの撮像条件も、撮像条件の候補として領域４３に表示させる。
【００８０】
更に、ステップＳ１０５では、提示制御機能１５ｃは、例えば、領域４１において、「Ａ」が「コイル群」の項目に登録されたレコードの「部位２」の項目に登録された部位を強調して表示させる。例えば、提示制御機能１５ｃは、この部位を点滅表示させる。
【００８１】
例えば、ステップＳ１０５では、提示制御機能１５ｃは、図２の例に示す、「Ａ」が「コイル群」の項目に登録された１番目のレコードの「部位２」に登録された部位「手」及び「足」を選択する。そして、図５の例に示すように、提示制御機能１５ｃは、領域４１上で、選択した部位「手」に対応する矩形を点滅表示させる。また、提示制御機能１５ｃは、領域４１上で、選択した部位「足」に対応する矩形を点滅表示させる。提示制御機能１５ｃは、ステップＳ１０５の処理の実行を完了すると、絞込表示処理を終了する。
【００８２】
第１の実施形態に係るＭＲＩ装置１００によれば、上述したステップＳ１０５の処理により、今回の検査において新たに追加されたような、今回の検査において撮像を行う際に用いられる可能性が非常に高い部位専用コイルについて、撮像される可能性が比較的高い特定部位を撮像するためのプロトコル群の候補及び各プロトコルの撮像条件の候補をユーザに提示することができる。また、ＭＲＩ装置１００によれば、上述したステップＳ１０５の処理により、今回の検査において撮像を行う際に用いられる可能性が非常に高い部位専用コイルについて、領域４１上において、撮像される可能性が比較的高い部位をユーザに提示することができる。以上のことから、ＭＲＩ装置１００によれば、ステップＳ１０５において、プロトコル及び撮像条件を絞り込んでプロトコルの候補及び撮像条件の候補をユーザに提示するため、プロトコル及び撮像条件の設定を容易にユーザに行わせることができる。
【００８３】
ステップＳ１０６では、提示制御機能１５ｃは、例えば、領域４１において、「Ｂ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの候補の撮像条件を、撮像条件の候補として領域４３に表示させる。提示制御機能１５ｃは、ステップＳ１０６の処理の実行を完了すると、絞込表示処理を終了する。
【００８４】
ＭＲＩ装置１００によれば、上述したステップＳ１０６の処理により、今回の検査において新たに追加されたような、今回の検査において撮像を行う際に用いられる可能性が非常に高い汎用型コイルについて、撮像される可能性が比較的高い部位を撮像するためのプロトコル群の候補及び各プロトコルの撮像条件の候補をユーザに提示することができる。よって、ＭＲＩ装置１００によれば、ステップＳ１０６において、プロトコル及び撮像条件を絞り込んでプロトコルの候補及び撮像条件の候補をユーザに提示するため、プロトコル及び撮像条件の設定を容易にユーザに行わせることができる。
【００８５】
ステップＳ１０７では、提示制御機能１５ｃは、例えば、領域４１において、「Ｃ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの候補の撮像条件を、撮像条件の候補として領域４３に表示させる。提示制御機能１５ｃは、ステップＳ１０７の処理の実行を完了すると、絞込表示処理を終了する。
【００８６】
ＭＲＩ装置１００によれば、上述したステップＳ１０７の処理により、今回の検査において新たに追加されたような、今回の検査において撮像を行う際に用いられる可能性が非常に高い寝台設置型コイルについて、撮像される可能性が比較的高い部位を撮像するためのプロトコル群の候補及び各プロトコルの撮像条件の候補をユーザに提示することができる。よって、ＭＲＩ装置１００によれば、ステップＳ１０７において、プロトコル及び撮像条件を絞り込んでプロトコル群の候補及び撮像条件の候補をユーザに提示するため、プロトコル及び撮像条件の設定を容易にユーザに行わせることができる。
【００８７】
上述したステップＳ１０１〜Ｓ１０７において、取得機能１５ｂは、プロトコル群を実行する単位である検査を複数行う場合であって、前回の検査（第１の検査）の後に今回の検査（第２の検査）を行う場合に、今回の検査に際して、今回の検査において新たに追加されるＲＦコイルの情報を取得する。また、上述した絞込表示処理において、ディスプレイ１０は、今回の検査において新たに追加されるＲＦコイルの情報に基づいて絞り込まれた少なくとも１つのプロトコルを表示する。
【００８８】
また、新たに追加された受信コイル６がない場合（ステップＳ１０３：Ｎｏ）には、提示制御機能１５ｃは、ステップＳ１０８で以下に説明する処理を行う。
【００８９】
なお、ステップＳ１０８では、ステップＳ１０２で取得された今回の検査において用いられている全ての受信コイル６のＩＤが用いられるが、今回の検査において用いられている受信コイル６の数は、１つの場合もあれば複数の場合もある。
【００９０】
まず、今回の検査において用いられている全ての受信コイル６の数が１つの場合におけるステップＳ１０８の処理について説明する。この場合には、提示制御機能１５ｃは、コイル分類情報１１ａの全レコードの中から、今回の検査において用いられている受信コイル６のＩＤが「コイルＩＤ」の項目に登録されたレコードを特定する。そして、提示制御機能１５ｃは、特定したレコードの「コイル群」の項目に登録された情報が「Ａ」、「Ｂ」又は「Ｃ」のいずれであるのかを判定する。「Ａ」である場合には、提示制御機能１５ｃは、ステップＳ１０９へ進む。また、「Ｂ」である場合には、提示制御機能１５ｃは、ステップＳ１１０へ進む。また、「Ｃ」である場合には、提示制御機能１５ｃは、ステップＳ１１１へ進む。
【００９１】
すなわち、提示制御機能１５ｃは、今回の検査において用いられている受信コイル６が、部位専用コイルである場合にはステップＳ１０９へ進み、汎用型コイルである場合にはステップＳ１１０へ進み、寝台設置型コイルである場合にはステップＳ１１１へ進む。
【００９２】
次に、今回の検査において用いられている全ての受信コイル６の数が複数の場合におけるステップＳ１０８の処理について説明する。この場合には、提示制御機能１５ｃは、今回の検査において用いられている複数の受信コイル６それぞれについて、次の処理を行う。すなわち、提示制御機能１５ｃは、コイル分類情報１１ａの全レコードの中から、受信コイル６のＩＤが「コイルＩＤ」の項目に登録されたレコードを特定する。そして、提示制御機能１５ｃは、特定した複数のレコードそれぞれについて、「コイル群」の項目に登録された情報が「Ａ」、「Ｂ」又は「Ｃ」のいずれであるのかを判定する。
【００９３】
ここで、提示制御機能１５ｃは、「Ａ」、「Ｂ」及び「Ｃ」のうち、「Ａ」が最も優先順位が高く、「Ｂ」が「Ａ」の次に優先順位が高く、「Ｃ」が最も優先順位が低いものとして扱う。そして、提示制御機能１５ｃは、複数のレコードについて判定した判定結果において、最も高い優先順位が「Ａ」である場合には、ステップＳ１０９へ進む。
【００９４】
また、提示制御機能１５ｃは、複数のレコードについて判定した判定結果において、最も高い優先順位が「Ｂ」である場合には、ステップＳ１１０へ進む。
【００９５】
また、提示制御機能１５ｃは、複数のレコードについて判定した判定結果において、最も高い優先順位が「Ｃ」である場合には、ステップＳ１１１へ進む。
【００９６】
すなわち、提示制御機能１５ｃは、今回の検査において撮像の際に用いられる複数の受信コイル６の中に、部位専用コイルがある場合にはステップＳ１０９へ進む。また、提示制御機能１５ｃは、今回の検査において撮像の際に用いられる複数の受信コイル６の中に、部位専用コイルがなく、かつ、汎用型コイルがある場合にはステップＳ１１０へ進む。また、提示制御機能１５ｃは、今回の検査において撮像の際に用いられる複数の受信コイル６が、全て寝台設置型コイルである場合にはステップＳ１１１へ進む。
【００９７】
ステップＳ１０９では、提示制御機能１５ｃは、ステップＳ１０５の処理と同様の処理を行う。例えば、ステップＳ１０９では、提示制御機能１５ｃは、領域４１において、「Ａ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの撮像条件を、撮像条件の候補として領域４３に表示させる。更に、ステップＳ１０９では、提示制御機能１５ｃは、例えば、領域４１において、「Ａ」が「コイル群」の項目に登録されたレコードの「部位２」の項目に登録された部位を強調して表示させる。提示制御機能１５ｃは、ステップＳ１０９の処理の実行を完了すると、絞込表示処理を終了する。
【００９８】
第１の実施形態に係るＭＲＩ装置１００によれば、上述したステップＳ１０９の処理により、今回の検査において撮像を行う際に用いられる可能性が比較的高い部位専用コイルについて、撮像される可能性が比較的高い特定部位を撮像するためのプロトコル群の候補及び各プロトコルの撮像条件の候補をユーザに提示することができる。また、ＭＲＩ装置１００によれば、上述したステップＳ１０９の処理により、今回の検査において撮像を行う際に用いられる可能性が比較的高い部位専用コイルについて、領域４１上において、撮像される可能性が比較的高い部位をユーザに提示することができる。以上のことから、ＭＲＩ装置１００によれば、ステップＳ１０９において、プロトコル及び撮像条件を絞り込んでプロトコルの候補及び撮像条件の候補をユーザに提示するため、プロトコル及び撮像条件の設定を容易にユーザに行わせることができる。
【００９９】
ステップＳ１１０では、提示制御機能１５ｃは、ステップＳ１０６の処理と同様の処理を行う。例えば、ステップＳ１１０では、提示制御機能１５ｃは、領域４１において、「Ｂ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの撮像条件の候補を領域４３に表示させる。提示制御機能１５ｃは、ステップＳ１１０の処理の実行を完了すると、絞込表示処理を終了する。
【０１００】
ＭＲＩ装置１００によれば、上述したステップＳ１１０の処理により、今回の検査において撮像を行う際に用いられる可能性が比較的高い汎用型コイルについて、撮像される可能性が比較的高い部位を撮像するためのプロトコル群の候補及び各プロトコルの撮像条件の候補をユーザに提示することができる。よって、ＭＲＩ装置１００によれば、ステップＳ１１０において、プロトコル及び撮像条件を絞り込んでプロトコルの候補及び撮像条件の候補をユーザに提示するため、プロトコル及び撮像条件の設定を容易にユーザに行わせることができる。
【０１０１】
ステップＳ１１１では、提示制御機能１５ｃは、ステップＳ１０７の処理と同様の処理を行う。例えば、ステップＳ１１１では、提示制御機能１５ｃは、領域４１において、「Ｃ」が「コイル群」の項目に登録されたレコードの「部位１」の項目に登録された部位を選択し、選択した部位に対して予め設定されているプロトコル群の総称の一覧を、プロトコル群の候補の総称の一覧として領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの撮像条件の候補を領域４３に表示させる。提示制御機能１５ｃは、ステップＳ１１１の処理の実行を完了すると、絞込表示処理を終了する。ステップＳ１０３〜ステップＳ１１１は、例えば、処理回路１５が提示制御機能１５ｃに対応する所定のプログラムを記憶回路１１から呼び出して実行することにより実現される。
【０１０２】
ＭＲＩ装置１００によれば、上述したステップＳ１１１の処理により、今回の検査において撮像を行う際に用いられる可能性が比較的高い寝台設置型コイルについて、撮像される可能性が比較的高い部位を撮像するためのプロトコル群の候補及び各プロトコルの撮像条件の候補をユーザに提示することができる。よって、ＭＲＩ装置１００によれば、ステップＳ１１１において、プロトコル及び撮像条件を絞り込んでプロトコルの候補及び撮像条件の候補をユーザに提示するため、プロトコル及び撮像条件の設定を容易にユーザに行わせることができる。
【０１０３】
また、ディスプレイ１０は、上述したステップＳ１０５〜１０７，１０９〜１１１の各処理により、撮像に適用するプロトコルとして選択可能な複数のプロトコルがある場合に、コイル分類情報１１ａに基づいて複数のプロトコルから撮像に適用可能なプロトコルとして絞り込まれた少なくとも１つのプロトコルを表示する。例えば、ディスプレイ１０は、複数の受信コイル６が上述した装置本体に接続されていた場合に、コイル分類情報１１ａに含まれる優先度の情報に基づいて絞り込まれた少なくとも１つのプロトコルを表示する。
【０１０４】
以上、第１の実施形態に係るＭＲＩ装置１００について説明した。第１の実施形態に係るＭＲＩ装置１００によれば、上述したように、プロトコルの設定を容易にユーザに行わせることができる。
【０１０５】
（第１の実施形態の第１の変形例）
上述したように、ＭＲＩ装置１００の提示制御機能１５ｃは、被検体Ｓの検査において撮像を行う前に、被検体Ｓの体位を選択させるための画面（ユーザから被検体Ｓの体位の設定を受け付ける画面）をディスプレイ１０に表示させ、ユーザに被検体Ｓの体位を選択させたりする。そして、提示制御機能１５ｃは、選択された被検体Ｓの体位を、撮像における被検体Ｓの体位として設定する。そして、ＭＲＩ装置１００は、被検体Ｓの体位が、設定した体位であることを前提とした上で、撮像を行う。
【０１０６】
ここで、ＭＲＩ装置１００の提示制御機能１５ｃは、被検体Ｓの体位を選択させるための画面をディスプレイ１０に表示させる際に、複数考えられる被検体Ｓの体位の中から、被検体Ｓの体位の候補をディスプレイ１０に表示させてもよい。そこで、このような実施形態を第１の実施形態の第１の変形例として説明する。
【０１０７】
図６Ａ及び図６Ｂは、第１の変形例に係るＭＲＩ装置１００を説明するための図である。図６Ａの例には、胸部専用の受信コイル（胸部コイル）６が示されている。図６Ａの例に示すように、胸部コイル６がコネクタ６ａ（図６Ａでは図示しない）に接続されている場合には、被検体Ｓの体位は、うつ伏せとなる。
【０１０８】
また、図６Ｂの例には、頭部専用の受信コイル（頭部コイル）６が示されている。図６Ｂの例に示すように、頭部コイル６がコネクタ６ａ（図６Ｂでは図示しない）に接続されている場合には、被検体Ｓの体位は、仰向けとなる。
【０１０９】
上述したように、受信コイル６の種類によって、被検体Ｓの体位が一意に決定される場合がある。そこで、第１の変形例に係るコイル分類情報１１ａには、新たに、被検体Ｓの体位が登録される「体位」の項目が設けられている。図７は、第１の変形例に係るコイル分類情報１１ａのデータ構造の一例を示す図である。先の図２の例に示すコイル分類情報１１ａと比較すると、図７の例に示すコイル分類情報１１ａには、新たに、「体位」の項目が追加されている。ここで、図７の例に示すＩＤ「ＤＡ」は、胸部専用の受信コイル６を示す。また、図７の例に示すＩＤ「ＤＢ」は、頭部専用の受信コイル６を示す。
【０１１０】
「体位」の項目には、同一レコードの「コイルＩＤ」の項目に登録されたＩＤが示すコイルを用いて撮像を行う場合の被検体Ｓの体位が登録されている。例えば、図７のコイル分類情報１１ａの１番目のレコードの「体位」の項目には、ＩＤ「ＤＡ」が示す胸部専用の受信コイル６を用いて撮像を行う場合の被検体Ｓの体位「うつ伏せ」が登録されている。また、図７のコイル分類情報１１ａの２番目のレコードの「体位」の項目には、ＩＤ「ＤＢ」が示す頭部専用の受信コイル６を用いて撮像を行う場合の被検体Ｓの体位「仰向け」が登録されている。
【０１１１】
そして、第１の変形例に係る提示制御機能１５ｃは、被検体Ｓの体位を選択させるための画面をディスプレイ１０に表示させる際に、以下の処理を行う。すなわち、提示制御機能１５ｃは、まず、記憶回路１１に記憶されている今回の検査における全てのＩＤを取得する。そして、提示制御機能１５ｃは、取得した全てのＩＤそれぞれについて、次の処理を行う。すなわち、提示制御機能１５ｃは、コイル分類情報１１ａの全レコードの中から、ＩＤが「コイルＩＤ」の項目に登録されたレコードを特定する。そして、提示制御機能１５ｃは、特定した複数のレコードの中から、「体位」の項目に被検体Ｓの体位が登録されたレコードを更に特定する。そして、提示制御機能１５ｃは、更に特定したレコードの「体位」の項目に登録された体位を取得する。例えば、提示制御機能１５ｃは、体位「うつ伏せ」を取得する。そして、提示制御機能１５ｃは、被検体Ｓの体位を選択させるための画面に、体位の候補として、取得した体位を表示させる。例えば、提示制御機能１５ｃは、被検体Ｓの体位を選択させるための画面に、体位の候補として、取得した体位「うつ伏せ」を表示させる。なお、この体位の候補は、ユーザにより選択されたり、修正されたりする。
【０１１２】
上述したように、第１の変形例に係るＭＲＩ装置１００は、複数考えられる被検体Ｓの体位の中から絞り込まれた体位の候補をユーザに提示する。したがって、第１の変形例に係るＭＲＩ装置１００によれば、被検体Ｓの体位の設定を容易にユーザに行わせることができる。なお、被検体Ｓの体位は、撮像条件の一例である。
【０１１３】
（第１の実施形態の第２の変形例）
なお、同一の種類の受信コイル６であっても、受信コイル６が接続される位置によって、被検体Ｓの方向が変わる場合がある。そこで、ＭＲＩ装置１００が、受信コイル６が接続される位置によって変化する被検体Ｓの方向を特定し、被検体Ｓの方向を選択させるための画面をディスプレイ１０に表示させる際に、特定した被検体Ｓの方向を、被検体Ｓの方向の候補としてユーザに提示してもよい。このような実施形態を第１の実施形態の第２の変形例として説明する。
【０１１４】
図８Ａ及び図８Ｂは、第１の実施形態の第２の変形例の一例を説明するための図である。図８Ａ及び図８Ｂの例には、頭部専用の受信コイル６を接続可能なポート群２１ａ及びポート群２１ｂが設けられた天板８ａが示されている。ポート群２１ａは、天板８ａの長手方向における中心から、ボア２０が位置する側に設けられている。また、ポート群２１ｂは、天板８ａの長手方向における中心から、ボア２０が位置する側とは反対側に設けられている。なお、ポート群２１ａに頭部専用の受信コイル６が接続された場合には、受信コイル６は、ポート群２１ａを介して受信回路７に接続されることとなる。また、ポート群２１ｂに頭部専用の受信コイル６が接続された場合には、受信コイル６は、ポート群２１ｂを介して受信回路７に接続されることとなる。
【０１１５】
図８Ａの例に示すように、頭部専用の受信コイル６がポート群２１ａに接続された場合には、被検体Ｓの方向は、頭部からボア２０内に搬送可能な状態、すなわち、ヘッドファーストとなる。一方、図８Ｂの例に示すように、頭部専用の受信コイル６がポート群２１ｂに接続された場合には、被検体Ｓの方向は、足からボア２０内に搬送可能な状態、すなわち、フットファーストとなる。このように、頭部専用の受信コイル６が、ポート群に接続される位置によって、被検体Ｓの方向が変化する。
【０１１６】
図８Ｃは、第２の変形例に係るコイル分類情報１１ａのデータ構造の一例を示す図である。図８Ｃの例に示すコイル分類情報１１ａには、「方向」の項目が設けられている。ここで、図８Ｃの例に示すＩＤ「ＤＢ」は、頭部専用の受信コイル６を示す。
【０１１７】
「方向」の項目には、同一レコードの「コイルＩＤ」の項目に登録されたＩＤが示す受信コイル６が接続されたポート群を示すＩＤと、このＩＤが示すポート群に受信コイル６が接続された場合の被検体Ｓの方向とが対応付けられて登録されている。例えば、図８Ｃのコイル分類情報１１ａの１番目のレコードの「方向」の項目には、ＩＤ「ＤＢ」が示す頭部専用の受信コイル６が接続されたポート群２１ａを示すＩＤ「Ｐ」と、ＩＤ「Ｐ」が示すポート群２１ａに頭部専用の受信コイル６が接続された場合の被検体Ｓの方向「ヘッドファースト」とが対応付けられて登録されている。また、１番目のレコードの「方向」の項目には、更に、ＩＤ「ＤＢ」が示す頭部専用の受信コイル６が接続されたポート群２１ｂを示すＩＤ「Ｑ」と、ＩＤ「Ｑ」が示すポート群２１ｂに頭部専用の受信コイル６が接続された場合の被検体Ｓの方向「フットファースト」とが対応付けられて登録されている。
【０１１８】
そして、第２の変形例に係る提示制御機能１５ｃは、被検体Ｓの方向を選択させるための画面をディスプレイ１０に表示させる際に、以下の処理を行う。すなわち、提示制御機能１５ｃは、まず、記憶回路１１に記憶されている今回の検査における全てのＩＤを取得する。そして、提示制御機能１５ｃは、取得した全てのＩＤそれぞれについて、次の処理を行う。すなわち、提示制御機能１５ｃは、コイル分類情報１１ａの全レコードの中から、ＩＤが「コイルＩＤ」の項目に登録されたレコードを特定する。そして、提示制御機能１５ｃは、特定した複数のレコードの中から、「方向」の項目に、ポート群を示すＩＤと被検体Ｓの方向とが対応付けられて登録されたレコードを更に特定する。そして、提示制御機能１５ｃは、更に特定したレコードの「方向」の項目に登録されたポート群のＩＤと被検体Ｓの方向との対応関係を参照し、現在、頭部専用の受信コイル６が接続されているポート群のＩＤから、対応する被検体Ｓの方向を取得する。例えば、提示制御機能１５ｃは、ポート群のＩＤ「Ｐ」から「ヘッドファースト」を取得する。そして、提示制御機能１５ｃは、被検体Ｓの方向を選択させるための画面に、方向の候補として、取得した方向を表示させる。例えば、提示制御機能１５ｃは、被検体Ｓの方向を選択させるための画面に、方向の候補として、取得した方向「ヘッドファースト」を表示させる。なお、この方向の候補は、ユーザにより選択されたり、修正されたりする。
【０１１９】
上述したように、第２の変形例に係るＭＲＩ装置１００は、複数考えられる被検体Ｓの方向の中から絞り込まれた方向の候補をユーザに提示する。したがって、第２の変形例に係るＭＲＩ装置１００によれば、被検体Ｓの方向の設定を容易にユーザに行わせることができる。なお、被検体Ｓの方向は、撮像条件の一例である。
【０１２０】
（第１の実施形態の第３の変形例）
なお、ＭＲＩ装置１００の提示制御機能１５ｃが、過去の検査において実行されたプロトコルの実行頻度を含むプロトコルの使用履歴を定期的に算出してもよく、プロトコルの候補を領域４３に表示させる際に、実行頻度が高い順を領域４３に表示させるプロトコルの候補の順として決定し、決定した順で領域４３の上側からプロトコルの候補を表示させるとともに、撮像条件の候補を表示させてもよい。図９は、第３の変形例に係るＭＲＩ装置１００が実行する処理を説明するための図である。例えば、図９の例に示すように、提示制御機能１５ｃは、ＩＤ「ＣＣＣＡ」が示すプロトコルの実行頻度「２０％」、ＩＤ「ＣＣＣＢ」が示すプロトコルの実行頻度「１１％」等を算出し、算出したプロトコルの実行頻度を含むプロトコルの使用履歴３０を算出する。そして、提示制御機能１５ｃは、プロトコルの候補を領域４３に表示させる際に、プロトコルの使用履歴３０を参照し、実行頻度が高い順を領域４３に表示させるプロトコルの候補の順として決定する。すなわち、提示制御機能１５ｃは、プロトコルの使用履歴３０に基づいて、プロトコルの候補及び撮像条件の候補の提示順序（表示順序）を決定する。そして、提示制御機能１５ｃは、決定した順で、領域４３の上側からプロトコルの候補を表示させるとともに、各プロトコルの候補の撮像条件の候補を表示させる。すなわち、提示制御機能１５ｃは、決定した提示順序に応じてプロトコルの候補及び撮像条件の候補が提示されるように制御する。このように、提示制御機能１５ｃは、コイル分類情報１１ａに基づいて絞り込まれた複数のプロトコルを、複数のプロトコルの使用履歴３０に基づく表示順序に基づいて、領域４３に表示させる。これにより、ディスプレイ１０は、コイル分類情報１１ａに基づいて絞り込まれた複数のプロトコルを、複数のプロトコルの使用履歴３０に基づく表示順序に応じて表示する。
【０１２１】
また、提示制御機能１５ｃが、過去の検査において実行されたプロトコル群の実行頻度を定期的に算出してもよく、プロトコル群の候補を領域４２に表示させる際に、実行頻度が高い順を領域４２に表示させるプロトコル群の候補の順として決定し、決定した順で領域４２の上側からプロトコル群の候補を表示させてもよい。
【０１２２】
また、提示制御機能１５ｃが、過去の検査において撮像された部位の撮像頻度を定期的に算出してもよく、プロトコルの候補を表示させる際に、プロトコルの候補のうち、撮像頻度が最も高い部位を撮像する際に実行されるプロトコルの候補のみを領域４３に表示させるとともに、このプロトコルについての撮像条件を領域４３に表示させてもよい。これにより、ディスプレイ１０は、撮像に適用するプロトコルとして選択可能な複数のプロトコルのうち、撮像頻度の中で最も撮像頻度の高い撮像部位を撮像する際に実行されるプロトコルを表示する。なお、提示制御機能１５ｃは、算出した撮像頻度を、上述したプロトコルの使用履歴に含めてもよい。
【０１２３】
また、提示制御機能１５ｃが、プロトコルの候補を表示させる際に、プロトコルの候補のうち、最後に検査した部位を撮像する際に実行されるプロトコルの候補のみを領域４３に表示させるとともに、このプロトコルについての撮像条件を領域４３に表示させてもよい。これにより、ディスプレイ１０は、撮像に適用するプロトコルとして選択可能な複数のプロトコルのうち、最後に検査した撮像部位を撮像する際に実行されるプロトコルを表示する。なお、提示制御機能１５ｃは、最後に検査した部位に関する情報を、上述したプロトコルの使用履歴に含めてもよく、プロトコルの候補を表示させる際に、プロトコルの使用履歴に含まれた最後に検査した部位に関する情報を参照してもよい。
【０１２４】
（第１の実施形態の第４の変形例）
なお、ＭＲＩ装置１００は、コイルのＩＤを用いなくても、コネクタ６ａに接続された受信コイル６の情報を得ることができる。そこで、このような実施形態を、第１の実施形態の第４の変形例として説明する。
【０１２５】
図１０Ａ及び図１０Ｂは、第４の変形例を説明するための図である。図１０Ａ及び図１０Ｂの例に示すように、天板８ａに頭部がボア２０に向けられた被検体Ｓが載置されている。図１０Ａの例では、受信コイル６がコネクタ（図示せず）に接続されている場合を示す。このような場合において、図１０Ａの例に示すように、第４の変形例では、カメラ２２が設けられている。
【０１２６】
カメラ２２は、受信コイル６及び被検体Ｓの全体が撮影可能な位置及び姿勢となるように、設けられている。カメラ２２は、受信コイル６及び被検体Ｓが描出された画像を、第４の変形例に係る提示制御機能１５ｃに出力する。
【０１２７】
第４の変形例に係る提示制御機能１５ｃは、画像を受信すると、画像認識により、受信した画像から被検体Ｓ及び受信コイル６を認識する。この際、提示制御機能１５ｃは、受信コイル６の種類も認識する。そして、提示制御機能１５ｃは、受信コイル６が装着されている被検体Ｓ上の場所を判断する。そして、提示制御機能１５ｃは、被検体Ｓ上の場所がどの部位であるかを推定する。そして、提示制御機能１５ｃは、推定した部位に対して予め設定されているプロトコル群の総称の一覧を、プロトコル群の候補の総称の一覧として画面４０の領域４２に表示させる。そして、提示制御機能１５ｃは、領域４２に表示されたプロトコル群の候補の総称を全て選択し、選択した総称が示すプロトコル群の候補に含まれるプロトコルの名称の一覧を、プロトコルの候補の名称の一覧として領域４３に表示させるとともに、各プロトコルの撮像条件を、撮像条件の候補として領域４３に表示させる。また、提示制御機能１５ｃは、認識した受信コイル６と、推定した部位が含まれるように、撮像領域を自動で設定する。このようにして、第４の変形例に係るＭＲＩ装置１００は、プロトコルの候補及び撮像条件の候補をユーザに提示する。
【０１２８】
（第１の実施形態の第５の変形例）
次に、第１の実施形態の第５の変形例について説明する。図１１Ａ及び図１１Ｂは、第５の変形例に係るＭＲＩ装置１００が実行する処理の一例について説明するための図である。図１１Ａ及び図１１Ｂの例には、８個の脊椎コイルＳＰＮ１〜ＳＰＮ８が天板８ａに取りつけられた場合が示されている。８個の脊椎コイルＳＰＮ１〜ＳＰＮ８は次のような関係を満たす。例えば、ある脊椎コイルの中心から、この脊椎コイルに隣接する脊椎コイルの中心までの距離が、１００ｍｍである。また、脊椎コイルの幅は１００ｍｍである。
【０１２９】
図１１Ａの例に示すように、ＭＲＩ装置１００が、前回の検査で、寝台位置が１０００ｍｍである場合に、３個の脊椎コイルＳＰＮ３、ＳＰＮ４及びＳＰＮ５を選択した場合について説明する。この場合に、今回の検査で、ＭＲＩ装置１００が、前回の検査での寝台位置から２００ｍｍだけ移動されて、寝台位置が１２００ｍｍとなったときには、選択する脊椎コイルの位置も２００ｍｍだけ移動させて、３個の脊椎コイルＳＰＮ５、ＳＰＮ６及びＳＰＮ７を選択する。
【０１３０】
（第１の実施形態の第６の変形例）
上述した第１の実施形態、第１の変形例〜第５の変形例では、提示制御機能１５ｃが、領域４３にプロトコルの候補及び撮像条件の候補を表示させる場合について説明した。しかしながら、提示制御機能１５ｃは、領域４３にプロトコルの候補及び撮像条件の候補を表示させなくてもよい。図１２は、第６の変形例に係るＭＲＩ装置１００が実行する処理の一例について説明するための図である。
【０１３１】
図１２の例に示すように、第６の変形例に係るＭＲＩ装置１００の提示制御機能１５ｃは、領域４２にプロトコル群の候補を表示させ、プロトコルの候補及び撮像条件の候補を表示させないようにしてもよい。これにより、ＭＲＩ装置１００は、選択可能な複数のプロトコル群の候補の中から絞り込まれたプロトコル群の候補をユーザに提示する。よって、ユーザは、容易にプロトコル群を選択することができる。この結果、第６の変形例に係るＭＲＩ装置１００によれば、プロトコル及び撮像条件の設定を容易にユーザに行わせることができる。
【０１３２】
（第１の実施形態の第７の変形例）
次に、第１の実施形態の第７の変形例について説明する。上述した第１の実施形態、第１の変形例〜第６の変形例では、操作室に配置されたディスプレイ１０が、絞り込まれたプロトコルを表示することにより、絞り込まれたプロトコルを操作室内のユーザに対して提示する場合について説明した。しかしながら、第７の変形例において、操作室と隣接する検査室にもディスプレイを配置し、検査室に配置されたディスプレイが、ディスプレイ１０と同様に、絞り込まれたプロトコルを表示してもよい。これにより、絞り込まれたプロトコルを検査室内のユーザに対して提示することができる。
【０１３３】
以上説明した少なくとも１つの実施形態又は少なくとも１つの変形例によれば、プロトコルの設定を容易にユーザに行わせることができる。
【０１３４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３５】
１０  ディスプレイ
１５ｂ  取得機能
１５ｃ  提示制御機能
１００    ＭＲＩ装置
【図１】
2017213371.tif 000003
【図２】
2017213371.tif 000004
【図３】
2017213371.tif 000005
【図４】
2017213371.tif 000006
【図５】
2017213371.tif 000007
【図６Ａ】
2017213371.tif 000008
【図６Ｂ】
2017213371.tif 000009
【図７】
2017213371.tif 000010
【図８Ａ】
2017213371.tif 000011
【図８Ｂ】
2017213371.tif 000012
【図８Ｃ】
2017213371.tif 000013
【図９】
2017213371.tif 000014
【図１０Ａ】
2017213371.tif 000015
【図１０Ｂ】
2017213371.tif 000016
【図１１Ａ】
2017213371.tif 000017
【図１１Ｂ】
2017213371.tif 000018
【図１２】
2017213371.tif 000019